(57)【要約】      （修正有）【課題】簡単構造の肩こり防止具に構成して腕の重さを軽減し、かつ腕に簡単に着脱できると共に、腋下部の動脈、静脈、神経の圧迫を抑制しながら肩こりを軽減した肩こり防止具を提供する。【解決手段】帯状の少なくとも一部が伸縮構造の伸縮帯を無端の輪状に形成し、タスキ掛け形状にして両端部に腕貫通孔を設け、これに腕を差し込みするだけで着脱自在に装着できると共に、該伸縮帯が左右の三角筋の鎖骨部、肩峰部、肩甲棘部付近の少なくとも一部を覆うと共に、タスキ掛けした伸縮帯の交差部分が少なくとも頚椎の一つである隆椎付近で収束するような構造に形成でき、伸縮帯の長さにより体型を気にせず選択できると共に安価に、何処でも両腕の重さ等による肩部の筋肉の負担を軽減させ、肩部の筋肉が引っ張られて筋肉の緊張を解きほぐし血行不良を防止できる。【選択図】図１
0003141471.tif 000002
【実用新案登録請求の範囲】
【請求項１】
帯状の少なくとも一部が伸縮帯からなり、腕に着脱自在に装着できると共に、該伸縮帯が左右の三角筋の鎖骨部、肩峰部、肩甲棘部付近の少なくとも一部を覆うと共に、少なくとも頚椎の一つである隆椎付近で収束するように端部を結んだはじまき状、若しくは無端のリング状、又は端部に腕貫通孔を有する眼鏡状に形成して前記腕を介してタスキ掛けのような構造に形成可能に構成としたことを特徴とする肩こり防止具。
【請求項２】
伸縮帯をタスキ掛けした際に伸縮帯が両側縁の腋下部へ対応する位置に広幅の当て部を一体に設けて腋下部を圧迫されるのを抑制する形状としたことを特徴とする請求項１記載の肩こり防止具。
【請求項３】
当て部の内面に柔軟性とクッション性を有する内層面材を一体に積層したことを特徴とする請求項１，２記載のいずれかである肩こり防止具。
【請求項４】
少なくとも２分割した伸縮帯の一端部に長さ調整部として面ファスナー等の締結具を着脱自在に一体に設けてタスキ掛け可能なリング状に形成したことを特徴とする請求項１から３記載のいずれかである肩こり防止具。
【請求項５】
伸縮帯は繊維、ゴム、合成ゴム、合成樹脂等の一種以上から構成したことを特徴とする請求項１から４記載のいずれかである肩こり防止具。
【請求項６】
伸縮帯がタスキ掛けした際に頚椎の一つである隆椎付近で収束するような位置に面ファスナー等で事前に固定したことを特徴とする肩こり防止具。
【考案の詳細な説明】
【技術分野】
【０００１】      本は、考案は帯状の伸縮帯の両端部を結んではじまき状、若しくは無端のリング状、又は端部に腕を通す貫通孔を設けた一体物の構成とし、タスキ掛けにより体型にフィットさせ肩に掛かる両腕の重さを持ち上げ、及び引き寄せ等して腕の重さを隆椎中心部に集め、両腕の重さを主に支えている僧帽筋、肩甲挙筋、三角筋等を支持する腕の重さを軽減して左右の肩こりを防止するのに有効な肩こり防止具に関する。
【背景技術】
【０００２】      この種、肩こり防止具としては、肩周りに直接着用し、筋肉の保温や血行促進を推進して肩こりを防止する肩掛けが提案されている。（例えば特許文献１参照）
【特許文献１】特開２００７−２１１３８３
【考案の開示】
【考案が解決しようとする課題】
【０００３】      従来のこの種の肩こり防止具では、肩周り筋肉の保温や血行促進を図って肩こりを防止しようとするものが提案され、実用化されている。しかし、これらは単に肩周りの保温効果しかなく、肩こりを幾分改善できる程度で満足に防止できない問題があった。さらに、肩こりの重要な要因である両腕の重さを主に支えている僧帽筋、肩甲挙筋、三角筋等を支持する構成が全く考慮されておらず、腕の重さが両肩の筋肉に直接的に付加され筋肉が緊張して硬くなる欠点があった。
【課題を解決するための手段】
【０００４】      このような課題を解決するため、本考案は、肩左右の僧帽筋、肩甲挙筋、三角筋等に掛かる腕の重さの負荷を軽減するために帯状の伸縮帯を結ぶ、若しくは一帯にする等の固定手段を介してリング状、眼鏡状に構成し、また、リング状の際に腕にタスキ掛けして三角筋の前部、中部、後部、及び僧帽筋の少なくとも有る程度の部分を覆うように装着し、その端部間を伸縮性で各人の肩幅等にフィットさせるための寸法調整機能を行わせ、かつ三角筋の一部をカバーすると共に、鎖骨部、肩峰部、肩甲棘部近傍にタスキ掛けの端部が位置し、また、装着した際に伸縮帯が腕の血管、神経を圧迫するのを低減するクッション性のある腋下保護部を備え、装着時に上記伸縮帯は、ほぼ中央部が頚椎の一つである隆椎付近に位置する所謂、三角筋の各端部延長線の末端が隆椎付近で収束するように構成して腕の重さの負荷を軽減したことを特徴とする肩こり防止具を提供することである。
【考案の効果】
【０００５】      上述したように本考案に係る肩こり防止具は、帯状の伸縮帯を結び、若しくは締結等の固定手段を介してリング状に構成して伸縮帯を両腕にタスキ掛け、又は最初から無端の眼鏡状等に構成して両腕の重さ等による肩部の筋肉の負荷を大幅に軽減でき、しかも肩部の筋肉が引っ張られて筋肉が緊張し血行不良を招く不具合を抑制できる。【０００６】      また、伸縮帯は人体にタスキ掛けで装着した際に少なくとも三角筋の鎖骨部、肩峰部、肩甲棘近防に位置する各端部から延長し、かつ上記三角筋の一部をカバーすると共に腕を引き寄せ体型にフィットさせながら伸縮自在な構造に形成できる。さらに、伸縮帯はタスキ掛けにより腋下に装着する際、腋下部に対応する部分に存在する動脈、静脈、神経の圧迫を抑制するため帯状の伸縮帯のこれに該当する部分の内面に合成樹脂発泡帯等のクッション性のある素材からなる腋下保護部を設け、動脈、静脈、神経の圧迫を防止できる。
【考案を実施するための最良の形態】
【０００７】      以下に、図面を用いて本考案に係る肩こり防止具の一実施例を詳細に説明する。
即ち、図１は本考案に係る肩こり防止具を示す説明図であり、図（ａ）は帯状の伸縮帯をはじまき型に結んで構成した場合、図（ｂ）は帯状の伸縮帯をリング状に構成した場合を示す説明図である。【０００８】      また、図２は本考案の要部である帯状の伸縮帯を示す平面図であり、図（ａ）は帯状の全体が伸縮帯構造の場合、（ｂ）図は帯状の一部、例えば中心部分が伸縮帯の場合、図（ｃ）は腋下に対応する保護部分の伸縮帯を大きい面積にして場合、図（ｄ）は帯状の伸縮帯の端部に面ファスナー等の固定具を設けた場合である。【０００９】      図３は本考案に係る肩こり防止具の帯状の伸縮帯の保護部の断面を示す説明図、図４は本考案に係る肩こり防止具を人体に装着した際の正面図と背面図を示す説明図、図５はその他の実施例を示す説明図であり、図（ａ）は帯状の伸縮帯をタスキ掛けした際の交差部分に人体への接触面積を補強する当て部材を使用した肩こり防止具、図（ｂ）はタスキ掛けの伸縮帯がクロスした部分を固定した構成の肩こり防止具を示す説明図である。【００１０】      さらに詳細に説明すると図１に示すように、１は肩こり防止具であり、２は伸縮帯で、図２に示す一本の帯状の伸縮帯２の両端部を結んで無端のはじまき状に、若しくは一本の帯状を無端のリング状に、又は一本の帯状の両端に面ファスナー等の固定手段を介して無端の輪状に構成し、これを腕にタスキ掛けして腕の僧帽筋、肩甲挙筋、三角筋等に掛かる腕の重さの負荷を軽減するために三角筋の少なくとも前部、中部、後部の一部を覆うように構成したものである。【００１１】      更に説明すると、伸縮帯２は図１（ａ）に示すように人体の腕間にタスキ掛けできる長さで、伸縮帯２をはじまき状に結び、図（ｂ）に示すようにリング状に形成し、又は（ｃ）に示すように帯状の伸縮帯の両端部の面ファスナーで固定しリング状に構成する。なお、タスキ掛けした伸縮帯２の交差部がほぼ頚椎の一つである隆椎付近に位置する所謂、三角筋の各端部延長線の末端が隆椎付近で収束するように装着して腕の重さの負荷を軽減するものである。また、伸縮帯２の幅は、例えば約２０〜５０ｍｍ程度あり、線接触でなく面接触で人体にフィトする素材である。【００１２】      伸縮帯２の素材としては、各種素材の繊維にゴム等の伸縮性が付加された帯材であり、伸縮度合いは人体の腕の重さや引っ張り具合を勘案して数種類、若しくは図示しないが単部材を付加して強化する。【００１３】      さらに、詳しく伸縮帯２について図２を用いて詳しく説明すると、図（ａ）は全体が一本の帯状の伸縮構造で構成した伸縮帯２、図（ｂ）は一本の帯状の中間部のみが伸縮帯構造２ａで構成した場合の伸縮帯２、図（ｃ）は一本の伸縮帯の一部、所謂、腋下に対応する部分を保護部２ａとして広幅に形成した場合で、この部位に存在する動脈、静脈、神経等の圧迫を回避するのに役立つ構成としたものである。図（ｄ）は一本の伸縮帯の両端部に面ファスナー、図示しないホック、ボタン等の固定具３を設けた場合である。【００１４】      また、図３は伸縮帯２が上腕に装着した際、腋下に対応する部分を保護するために柔らかく、かつクッション性がある合成樹脂発泡体、例えばポリウレタンフォーム等の一種からなる保護層４を設けた構成の伸縮帯２を示す。【００１５】      さらに、伸縮帯２の材質は、ゴム材、メッシュ材、合成樹脂繊維から成る伸縮材、蛇腹等の伸縮面材のように伸縮性のある素材の一種からなり、強度は目的に応じて設計するものである。又、幅等の寸法は、図４（ａ）、（ｂ）に示すように服装に支障のない大きさ、厚さが好ましい。【００１６】      次ぎに、本発明に係る肩こり防止具１の使用法につき簡単に説明すると、先ず図４（ａ）、（ｂ）に示すように無端に形成した一本の帯状の伸縮帯２を輪状に形成し、これをタスキ掛けにし、その両端の輪に両腕をそれぞれ通して肩から首に掛け、腕を引き寄せ、腕の引き上げ具合のバランスをとり、伸縮帯２が交差する部位を隆椎付近に位置するように調整する。なお、伸縮帯２は少なくとも、その一部が鎖骨部、肩峰部、肩甲棘部近傍に載置し腕の重さの負荷を軽減するものである。【００１７】以上、説明したのは、本発明に係る肩こり防止具の一実施例にすぎず、図５に示すように肩こり防止具１を構成することもできる。即ち、図（ａ）は帯状の伸縮帯２を切り抜き等して一体に腕貫通孔１ａ設けて眼鏡状に形成した肩こり防止具に構成したものであり、図（ｂ）に示すように伸縮帯２が交差する位置に広幅の面材５を一体に設けた肩こり防止具とし、かつ面材５を遠赤外線などが放射する鉱物が含有された繊維材で形成され、より筋肉を加温して血行を促進するように機能する構成の肩こり防止具とすることもできる。更に、図示しないが肩こり防止具１の適宜位置に携帯用温熱具、例えば酸化鉄を主材料とするものを内蔵する箇所を設けることもできる。
【図面の簡単な説明】
【００１８】
【図１】本発明に係る肩こり防止具の一実施例を示す概略説明図である。
【図２】本発明に係る肩こり防止具の要部である伸縮帯の一実施例を示す平面図である。
【図３】本発明に係る肩こり防止具の要部である伸縮帯のその他の断面を示す説明断面図である。
【図４】本発明に係る肩こり防止具を人体に装着した際の正面図と背面図である。
【図５】本発明に係る肩こり防止具のその他の実施例を示す概略説明である。
【符号の説明】
【００１９】  １  肩こり防止具
２  伸縮帯
３  固定具
４  保護層
５  面材
【図１】
0003141471.tif 000003
【図２】
0003141471.tif 000004
【図３】
0003141471.tif 000005
【図４】
0003141471.tif 000006
【図５】
0003141471.tif 000007